(57)【要約】【課題】  高温水中のクラッドやイオンなどの不純物を微細なものまで捕集でき、所望の鉄除去率を簡素な構成で実現できる高温水中クラッドまたはイオンの除去方法および除去装置を提供する。【解決手段】  不純物のクラッドやイオンの存在する高温水が通流する配管２と、この配管２途中に挿入され高温水が内部を通流する電気絶縁材料で形成された容器３と、この容器３の内部に充填された複数の析出媒体部材６と、この析出媒体部材６を高温水より高い所定温度に加熱する容器３外に設けられた誘導加熱コイル７とを具備している。【選択図】  図１
2006326487.tif 000002
【特許請求の範囲】
【請求項１】
不純物のクラッドやイオンの存在する高温水中に、前記高温水より高い所定温度に加熱した析出媒体部材を存在させ、該析出媒体部材の表面に前記不純物のクラッドまたはイオンを析出させて除去することを特徴とする高温水中クラッドまたはイオンの除去方法。
【請求項２】
前記析出媒体部材を誘導加熱法によって、前記高温水より高い所定温度に加熱することを特徴とする請求項1記載の高温水中クラッドまたはイオンの除去方法。
【請求項３】
不純物のクラッドやイオンの存在する高温水が通流する流路と、この流路途中に挿入され前記高温水が内部を通流する電気絶縁材料で形成された容器と、この容器の内部に充填された複数の析出媒体部材と、この析出媒体部材を前記高温水より高い所定温度に加熱する前記容器外に設けられた誘導加熱コイルとを具備することを特徴とする高温水中クラッドまたはイオンの除去装置。
【請求項４】
前記析出媒体部材が、球状、管状、多面体状、複数の析出面を有する形状のいずれかの形状となっていることを特徴とする請求項３記載の高温水中クラッドまたはイオンの除去装置。
【請求項５】
前記析出媒体部材が、金属材料、黒鉛、導電性を有するセラミックスのいずれかによって形成されていることを特徴とする請求項３または請求項4記載の高温水中クラッドまたはイオンの除去装置。
【請求項６】
前記流路が、ヒータ伝熱管もしくはボイラー伝熱管に給水する発電所給水配管、ヒータ加熱用配管、ヒータドレン配管のいずれかの配管であることを特徴とする請求項３記載の高温水中クラッドまたはイオンの除去装置。
【請求項７】
前記容器の前記高温水通流方向一側の前記流路に挿入された第１バルブと、この第１バルブと前記容器の間の前記流路に第１分岐流路を設けて接続された薬剤用第１バルブと、前記容器の前記高温水通流方向他側の前記流路に挿入された第２バルブと、この第２バルブと前記容器の間の前記流路に第２分岐流路を設けて接続された薬剤用第２バルブと、前記薬剤用第１バルブを介し前記容器内に洗浄用の薬剤を供給する薬剤供給部と、前記薬剤用第２バルブを介し前記容器からの洗浄後の前記薬剤を回収する薬剤回収部を備えていることを特徴とする請求項３記載の高温水中クラッドまたはイオンの除去装置。
【発明の詳細な説明】
【技術分野】
【０００１】
本発明は、例えば原子力発電プラント等における高温配管中を通流する高温水中に存在する金属腐食生成物のクラッドやイオンなどの不純物を除去するための高温水中クラッドまたはイオンの除去方法および除去装置に関する。
【背景技術】
【０００２】
従来、高温水中に存在する金属腐食生成物（以下、クラッドと記す）の除去装置としては、電磁フィルタや、金属材料や有機材料で形成した多数の細孔を有する高温用フィルタなどが開発されている。そして、前者の電磁フィルタでは、液中に存在する常磁性体のクラッドである例えばマグネタイト（Ｆｅ３Ｏ４）等の磁性体粒子を、磁性を帯びたフィルタ部材の表面に捕集するものであり（例えば、特許文献１及び特許文献２、特許文献３を参照）、後者の高温用フィルタは、形成されている細孔の孔径より大きなクラッドである例えば酸化鉄等の不純物をフィルタ表面で捕集するものである（例えば、特許文献４及び特許文献５を参照）。
【０００３】
しかしながら上記の従来技術における電磁フィルタを用いたクラッドの除去装置は、常磁性体のクラッドを捕集するもので、マグネタイト等の磁性体粒子は捕集して除去可能であるものの、ヘマタイト（α−Ｆｅ２Ｏ３）や含水酸化鉄（例えば、α−ＦｅＯＯＨ（ゲータイト）など）、非晶質の水酸化鉄などは捕集できず、捕集物に対して選択性があるために、所望の鉄除去率を得ることができない。また、高温用フィルタを用いたクラッドの除去装置は、細孔の孔径より大きなクラッドは捕集して除去可能であるものの、高温水中に生成される一部の細孔の孔径より小さい一部の微細クラッドは、フィルタの細孔を通過してしまい、この場合においても、所望の鉄除去率を得ることができない。
【特許文献１】特開平１０−３３７４２０号公報
【特許文献２】特開平１１−２２１４１０号公報
【特許文献３】特開平１１−２２１４１１号公報
【特許文献４】特開２００１−１７９６８号公報
【特許文献５】特開２００３−２８４０１号公報
【発明の開示】
【発明が解決しようとする課題】
【０００４】
上記のような状況に鑑みて本発明はなされたもので、その目的とするところは、高温水中に存在するクラッドやイオンなどの不純物が、磁性体粒子であるか否か、その大きさが大きいか小さいかに関わらず微細なものまで捕集可能で、高温水のクラッド濃度、鉄イオン濃度が十分低い濃度となり、所望の鉄除去率とすることが簡素な構成によって実現することができる高温水中クラッドまたはイオンの除去方法および除去装置を提供することにある。
【課題を解決するための手段】
【０００５】
本発明の高温水中クラッドまたはイオンの除去方法および除去装置は、
高温水中クラッドまたはイオンの除去方法が、
不純物のクラッドやイオンの存在する高温水中に、前記高温水より高い所定温度に加熱した析出媒体部材を存在させ、該析出媒体部材の表面に前記不純物のクラッドまたはイオンを析出させて除去することを特徴とする方法であり、
さらに、前記析出媒体部材を誘導加熱法によって、前記高温水より高い所定温度に加熱することを特徴とする方法である。
【０００６】
また、高温水中クラッドまたはイオンの除去装置が、
不純物のクラッドやイオンの存在する高温水が通流する流路と、この流路途中に挿入され前記高温水が内部を通流する電気絶縁材料で形成された容器と、この容器の内部に充填された複数の析出媒体部材と、この析出媒体部材を前記高温水より高い所定温度に加熱する前記容器外に設けられた誘導加熱コイルとを具備することを特徴とするものであり、
さらに、前記析出媒体部材が、球状、管状、多面体状、複数の析出面を有する形状のいずれかの形状となっていることを特徴とするものであり、
さらに、前記析出媒体部材が、金属材料、黒鉛、導電性を有するセラミックスのいずれかによって形成されていることを特徴とするものであり、
さらに、前記流路が、ヒータ伝熱管もしくはボイラー伝熱管に給水する発電所給水配管、ヒータ加熱用配管、ヒータドレン配管のいずれかの配管であることを特徴とするものであり、
さらに、前記容器の前記高温水通流方向一側の前記流路に挿入された第１バルブと、この第１バルブと前記容器の間の前記流路に第１分岐流路を設けて接続された薬剤用第１バルブと、前記容器の前記高温水通流方向他側の前記流路に挿入された第２バルブと、この第２バルブと前記容器の間の前記流路に第２分岐流路を設けて接続された薬剤用第２バルブと、前記薬剤用第１バルブを介し前記容器内に洗浄用の薬剤を供給する薬剤供給部と、前記薬剤用第２バルブを介し前記容器からの洗浄後の前記薬剤を回収する薬剤回収部を備えていることを特徴とするものである。
【発明の効果】
【０００７】
本発明によれば、高温水中に存在するクラッドやイオンなどの不純物の捕集物に対して選択性を有しておらず、それが磁性体粒子であるか否か、その大きさが大きいか小さいかに関わらず捕集可能であり、また所望の鉄除去率を簡素な構成で実現することができる。
【発明を実施するための最良の形態】
【０００８】
以下本発明の実施の形態を、図面を参照して説明する。
【実施例１】
【０００９】
先ず第１の実施形態を図１及び図２により説明する。図１は一部を切欠いて示す正面図であり、図２はクラッドやイオンの除去性能を示す図である。
【００１０】
図１において、除去装置１は、例えば原子力発電プラントや火力発電プラント等の蒸気発生器やボイラーの給水系などにおける高温水中に存在するクラッド（金属腐食生成物）やイオンなどの不純物を除去するもので、高温水の流路を形成する配管２の途中に挿入するように構成されている。すなわち、除去装置１は、配管２と同直径の短管形状をなす電気絶縁材料で形成された容器３を備えており、管状の容器３の両端外側には、配管２に設けられたフランジ４に接続するためのフランジ５がそれぞれ設けられている。
【００１１】
また、容器３は、その両端の開口部分に、図示しないが高温水の流通孔を有する多孔壁部材が取り付けられており、さらに容器３の両多孔壁部材間内部には、導電性材料、例えば金属材料や黒鉛、導電性を有するセラミックス等で形成された析出媒体部材６が多数収納されている。また収納された析出媒体部材６は、流通孔を通過しない大きさであると共に、その形状は例えば球状、管状、多面体状、複数の析出面を有する形状等のうちのいずれかの形状をなすものとなっており、さらに、各形状のなかでも析出媒体部材６を入れたことにより生じる圧力損失が少なくなるように形状が選択される。
【００１２】
さらに、容器３の外側には、誘導加熱コイル７が巻回され、図示しない誘導加熱電源から電力供給がなされるようになっている。すなわち、誘導加熱電源から所定周波数の電力供給を行うと、容器３内に交番磁界が発生し、これにより交番磁界中におかれた導電性材料の析出媒体部材６には渦電流が流れ、析出媒体部材６は自己発熱することになる。なお、析出媒体部材６の発熱量の調節は、渦電流の量を例えば誘導加熱コイル７に流す電流量を変えるなどして調節することによっておこなう。
【００１３】
そして、このように構成された除去装置１では、発電プラントの給水系などでの例えば約２３０℃の高温水が通流する配管２の途中に、配管２のフランジ４と容器３のフランジ５を図示しないボルト、ナット等を用いて水密に接続するようにして挿入される。挿入後、高温水を配管２に通流させると共に誘導加熱コイル７に誘導加熱電源から所定周波数の電力供給を行い、容器３に収納された析出媒体部材６を、高温水の温度よりも高い所定の温度となるよう誘導加熱コイル７に流す電流量を変え、誘導加熱する。
【００１４】
この誘導加熱によって高温水の温度以上の所定温度となった析出媒体部材６の表面に接触するように高温水を流すと、これによって高温水はさらに加熱され、析出媒体部材６の表面に高温水中に存在するクラッドやイオンなどの不純物が析出する。この結果、高温水は上流側の配管２から除去装置１内に流入し、装置内部を通流する間に不純物が除去され、不純物の量が減少した高温水が下流側の配管２に流出する。
【００１５】
また、上記除去装置１の不純物の除去性能確認を、例えば揮発性水処理を行う加圧水型原子炉（ＰＷＲ）プラントの給水系での除去性能確認として、所定濃度で所定範囲の粒径のクラッドや鉄イオンをそれぞれ含むように調整し、給水系設計温度の２３０℃とした模擬高温水を用い、この模擬高温水を配管２を介して除去装置１に通流させることにより行った。それによれば、図２に示すように、除去装置１の入口部では、クラッド濃度が４ｐｐｂ、鉄イオン濃度が１ｐｐｂであったものが、除去装置１の出口部では、クラッド濃度が０．５ｐｐｂと１／８に、また鉄イオン濃度が０．３ｐｐｂと約１／３にそれぞれ大幅に低下する結果となった。
【００１６】
このように、誘導加熱によって析出媒体部材６を所低温度に加熱するといった簡素な構成の除去装置１によって、高温水中の不純物のクラッドやイオンを共に減少させることができ、配管２の下流に配置された機器において生じる不純物による不具合、例えば伝熱管でのスケール障害等を大幅に軽減できることになる。なお、析出媒体部材６を黒鉛、導電性を有するセラミックスで構成した場合には、金属材料で構成した場合に懸念される使用金属による腐食生成物の発生の虞がない。
【実施例２】
【００１７】
次に第２の実施形態を図３により説明する。図３は一部を切欠いて示す正面図である。なお、第１の実施形態と同一部分には同一符号を付して説明を省略し、第１の実施形態と異なる本実施形態の構成について説明する。
【００１８】
図３において、除去装置１１は、第１の実施形態と同様に高温水中のクラッドやイオンなどの不純物を除去するもので、高温水の流路を形成する配管１２の途中に挿入するように構成されている。除去装置１１は、容器１３が電気絶縁材料で形成された下部開口が閉塞された略円筒状の容器本体１４と、同じく電気絶縁材料で形成された蓋体１５によって構成されており、容器本体１４には、その上部開口端外周にフランジ１６が設けられ、蓋体１５にも、その外周にフランジ１７が設けられている。そして、フランジ１６とフランジ１７とを水密に取り付けることによって、容器本体１４は、蓋体１５により密閉される。
【００１９】
また、容器本体１４の外底部の中央部分には、高温水を容器３内に実線矢印Ａで示すように供給する配管１２の供給管１８が固着されており、蓋体１５の中央部分には、高温水を容器３外に実線矢印Ｂで示すように排出する配管１２の排出管１９が固着されている。さらに、容器本体１４の内底部中央部分には、図示しないが、供給管１８に連通する内底部開口を覆うように、高温水の流通孔を有する多孔部材が取り付けられており、また蓋体１５にも、排出管１９に連通する内開口を覆うように、高温水の流通孔を有する多孔部材が取り付けられている。
【００２０】
さらに容器１３の内部には、多孔部材の流通孔を通過しない大きさの導電性材料で形成された析出媒体部材６が多数収納されている。また容器１３の外側には、誘導加熱コイル７が巻回され、図示しない誘導加熱電源から電力供給がなされるようになっている。
【００２１】
そして、このように構成された除去装置１１は、発電プラントの給水系などでの例えば約２３０℃の高温水が通流する配管１２の途中に、容器本体１４の外底部に固着された供給管１８を上流側に、蓋体１５に固着された排出管１９を下流側に設けるように挿入される。挿入後、高温水を配管１２に通流させると共に誘導加熱コイル７に誘導加熱電源から所定周波数の電力供給を行い、容器１３に収納された析出媒体部材６を、高温水の温度よりも高い所定の温度となるよう誘導加熱コイル７に流す電流量を変え、誘導加熱する。
【００２２】
この誘導加熱によって高温水の温度以上の所定温度となった析出媒体部材６の表面に接触するように高温水を流すと、第１の実施形態と同様に、高温水はさらに加熱され、析出媒体部材６の表面に高温水中に存在するクラッドやイオンなどの不純物が析出する。この結果、高温水は配管１２の上流側である供給管１８から除去装置１１内に流入し、装置内部を通流する間に不純物が除去され、不純物の量が減少した高温水が下流側の排出管１９に流出することとなり、本実施形態においても、第１の実施形態と同様の作用、効果を得ることができる。
【実施例３】
【００２３】
次に第３の実施形態を図４により説明する。図４は一部を切欠いて示す正面図である。なお、第１及び第２の実施形態と同一部分には同一符号を付して説明を省略し、第１及び第２の実施形態と異なる本実施形態の構成について説明する。
【００２４】
図４において、除去装置２１は、第１及び第２の実施形態と同様に高温水中のクラッドやイオンなどの不純物を除去するもので、高温水の流路を形成する配管１２の途中に挿入するように構成されている。除去装置２１は、電気絶縁材料で形成された容器本体１４と、これを覆う蓋体１５によって構成された容器１３を備えている。そして容器本体１４は、蓋体１５によって、それぞれのフランジ１６，１７とを水密に取り付けることによって密閉される。さらに、容器１３の内部には、導電性材料で形成された析出媒体部材６が多数収納されており、容器１３の外側には、誘導加熱コイル７が巻回され、図示しない誘導加熱電源から電力供給がなされるようになっている。
【００２５】
また、容器本体１４の外底部に、高温水を供給する配管１２の供給管１８が固着され、蓋体１５に、高温水を排出する配管１２の排出管１９が固着されている。さらに、供給管１８には、高温水の供給を行ったり、停止したりできるように供給バルブ２２が直列に挿入されており、また排出管１９には、高温水の排出を行ったり、停止したりできるように排出バルブ２３が直列に挿入されている。
【００２６】
またさらに、蓋体１５と排出バルブ２３の間の排出管１９には、洗浄用の薬剤を白抜き矢印Ｃで示したように供給するための薬剤供給部２４を一端に接続した薬剤供給分岐管２５の他端が接続されており、また薬剤供給分岐管２５の中間部には、薬剤の供給を行ったり、停止したりできるように薬剤供給バルブ２６が直列に挿入されている。また、容器本体１４と供給バルブ２２の間の供給管１８には、洗浄後の薬剤を白抜き矢印Ｄで示したように回収する薬剤回収部２７を一端に接続した薬剤回収分岐管２８の他端が接続されており、また薬剤回収分岐管２８の中間部には、洗浄後の薬剤の回収を行ったり、停止したりできるように薬剤回収バルブ２９が直列に挿入されている。なお、薬剤回収部２７には、薬剤として例えば濃度が５％〜１０％程度の塩酸、または硫酸、またはしゅう酸などの酸類、あるいは濃度が１０％程度の水酸化ナトリウム等のアルカリ類が充填されている。
【００２７】
そして、このように構成された除去装置２１は、発電プラントの給水系などでの例えば約２３０℃の高温水が通流する配管１２の途中に、容器本体１４の外底部に固着された供給管１８を上流側に、蓋体１５に固着された排出管１９を下流側に設けるように挿入される。その後、供給バルブ２２及び排出バルブ２３を高温水が通流するよう開放し、また薬剤供給バルブ２６及び薬剤回収バルブ２９を閉止した状態とし、この状態で高温水を配管１２に通流させると共に誘導加熱コイル７に誘導加熱電源から所定周波数の電力供給を行い、容器１３に収納された析出媒体部材６を、高温水の温度よりも高い所定の温度となるよう誘導加熱コイル７に流す電流量を変え、誘導加熱する。
【００２８】
この誘導加熱によって高温水温度以上の所定温度となった析出媒体部材６の表面に接触するように高温水を流すと、第１の実施形態と同様に、高温水はさらに加熱され、析出媒体部材６の表面に高温水中に存在するクラッドやイオンなどの不純物が析出する。この結果、高温水は配管１２の上流側である供給管１８から除去装置１１内に流入し、装置内部を通流する間に不純物が除去され、不純物の量が減少した高温水が下流側の排出管１９に流出することとなり、本実施形態においても、第１の実施形態と同様の作用、効果を得ることができる。
【００２９】
さらに、上記の除去装置２１による高温水中の不純物の除去を継続して所定時間行い、析出媒体部材６への不純物析出量が多くなった時点で、供給バルブ２２及び排出バルブ２３を閉止して容器１３内の高温水の通流を停止する。その後、薬剤供給バルブ２６及び薬剤回収バルブ２９を開放状態とし、薬剤供給部２４から薬剤を、流量を調節しながら容器１３内に、高温水の通流方向と逆方向に通流させる。この薬剤の通流を所定時間継続することで、析出媒体部材６の表面に析出し付着していた不純物が薬剤に溶解し、析出媒体部材６が洗浄される。そして、洗浄後の薬剤は、薬剤回収分岐管２８を介して薬剤回収部２７に回収される。これにより、析出媒体部材６は再使用可能となり、長期にわたって除去性能を維持することが可能となる。なお、薬剤回収部２７に回収された洗浄後の薬剤については、再生処理等を施して再使用したり、適宜の処理を施して系外に排出するようにしたりしてもよい。また高温水、薬剤の通流方向については、上記実施形態に限るものでなく、同方向でも、また供給側と排出側が逆となるように通流させてもよい。
【実施例４】
【００３０】
次に第４の実施形態を図５により説明する。図５は除去装置が配管に挿入された沸騰水型原子炉（ＢＷＲ）プラントの概略構成を示す構成図である。
【００３１】
図５において、沸騰水型原子炉（ＢＷＲ）プラント３１は、原子炉３２で生成した高温高圧の蒸気で高圧タービン３３を回転させ、さらに低圧タービン３４を回転させ、これによって図示しない発電機を回転させて発電を行う。低圧タービン３４から排出された蒸気は、復水器３５で水に戻され、続いて復水脱塩装置３６で浄化された後に、再度給水系を構成する低圧ヒータ３７と高圧ヒータ３８、これらを接続する給水配管３９、高圧ヒータ３８と原子炉３２を接続する給水配管４０を通じて原子炉３２に戻される。そして、給水配管３９には、除去装置４１が直列に挿入されている。なお、除去装置４１は、上記各実施形態、例えば第１の実施形態の除去装置１のように構成されている。
【００３２】
こうした給水配管４０を通じて原子炉３２に戻す前に、水は低圧タービン３４から低圧ヒータ配管４２を通じて供給される蒸気を熱源とする低圧ヒータ３７で加熱され、さらに高圧タービン３３に流れ、高圧ヒータ配管４３を通じて供給される蒸気の一部を熱源とする高圧ヒータ３８で加熱され、その後に、原子炉３２に戻される。なお、４４は高圧ヒータドレン配管であり、４５は低圧ヒータドレン配管であり、さらに、４６，４７はポンプである。
【００３３】
このように構成されたＢＷＲプラント３１においては、高温水は、給水配管３９に挿入された除去装置４１を通流する間に、誘導加熱されて高温水の温度より高い温度となっている析出媒体部材の表面に接触し、それにより存在するクラッドやイオンなどの不純物が析出され、除去される。そして、不純物の除去が行われた高温水は、さらに下流のポンプ４７、高圧ヒータ３８、給水配管４０、原子炉３２へと流下する。
【００３４】
その結果、除去装置４１よりも下流の機器、配管、すなわち高圧ヒータ３８の伝熱管表面や原子炉３２のボイラー伝熱管表面、給水配管４０の管内壁面等におけるクラッドまたはイオンの析出が抑制でき、伝熱効率の向上及び機器の寿命延長を図ることができる。
【００３５】
なお、上記の実施形態においては除去装置４１を給水配管３９に挿入したが、他の給水配管４０や低圧ヒータ配管４２、高圧ヒータ配管４３、高圧ヒータドレン配管４４、低圧ヒータドレン配管４５に挿入するようにしてもよい。
【実施例５】
【００３６】
次に第５の実施形態を図６により説明する。図６は除去装置が配管に挿入されたＰＷＲプラント二次系の概略構成を示す構成図である。なお、第４の実施形態と同一部分には同一符号を付して説明を省略し、第４の実施形態と異なる本実施形態の構成について説明する。
【００３７】
図６において、ＰＷＲプラント二次系５１は、図示しない原子炉の発生熱により蒸気発生器５２で生成した高温高圧の蒸気で高圧タービン５３を回転させ、さらに蒸気は湿分分離加熱器５４を経由して低圧タービン５５を回転させ、これによって図示しない発電機を回転させて発電を行う。低圧タービン５５から排出された蒸気は、ＢＷＲプラントと同様に、復水器５６で水に戻され、続いて復水脱塩装置５７で浄化された後に、再度給水系を構成する低圧ヒータ５８、給水配管５９、脱気器６０、給水配管６１、高圧ヒータ６２、給水配管６３を通じて蒸気発生器５２に戻される。そして、給水配管４１には、除去装置４１が直列に挿入されている。
【００３８】
こうした給水配管６３を通じて蒸気発生器５２に戻す前に、水は低圧タービン５５から低圧ヒータ配管６４を通じて供給される蒸気を熱源とする低圧ヒータ５８で加熱され、脱気器６０に給水配管５９を介して収集される。また脱気器６０には、湿分分離加熱器５４からタンク６５、湿分分離加熱器ドレン配管６６を介してドレンが収集される。脱気器６０に収集された回収水やドレンは、給水配管６１を通じて高圧ヒータ６２に流れ、ここで
湿分分離加熱器５４からタンク６７を介すると共に高圧ヒータ配管６８を通じて供給される蒸気の一部を熱源とする高圧ヒータ６２で加熱され、その後に、蒸気発生器５２に戻される。なお、６９は高圧ヒータドレン配管であり、７０は低圧ヒータドレン配管であり、さらに、４６，４７はポンプである。
【００３９】
このように構成されたＰＷＲプラント二次系５１においては、高温水は、給水配管５９に挿入された除去装置４１を通流する間に、誘導加熱されて高温水の温度より高い温度となっている析出媒体部材の表面に接触し、それにより存在するクラッドやイオンなどの不純物が析出され、除去される。そして、不純物の除去が行われた高温水は、さらに下流の脱気器６０、ポンプ４７、高圧ヒータ６２、給水配管６３、蒸気発生器５２へと流下する。
【００４０】
その結果、除去装置４１よりも下流の機器、配管、すなわち高圧ヒータ６２の伝熱管表面や蒸気発生器５２のボイラー伝熱管表面、給水配管６３の管内壁面等におけるクラッドまたはイオンの析出が抑制でき、伝熱効率の向上及び機器の寿命延長を図ることができる。
【００４１】
なお、上記の実施形態においては除去装置４１を給水配管５９に挿入したが、他の給水配管６１，６３や低圧ヒータ配管６４、高圧ヒータ配管６８、高圧ヒータドレン配管６９、低圧ヒータドレン配管７０、湿分分離加熱器ドレン配管６６に挿入するようにしてもよい。
【図面の簡単な説明】
【００４２】
【図１】本発明の第１の実施形態に係る除去装置を一部切欠いて示す正面図である。
【図２】本発明の第１の実施形態に係る除去装置におけるクラッドやイオンの除去性能を示す図である。
【図３】本発明の第２の実施形態に係る除去装置を一部切欠いて示す正面図である。
【図４】本発明の第３の実施形態に係る除去装置を一部切欠いて示す正面図である。
【図５】本発明に係る除去装置が配管に挿入された沸騰水型原子炉プラントの概略構成を示す構成図である。
【図６】本発明に係る除去装置が配管に挿入された加圧水型原子炉プラント二次系の概略構成を示す構成図である。
【符号の説明】
【００４３】
１，１１，２１，４１…除去装置
２…配管（流路）
３，１３…容器
６…析出媒体部材
７…誘導加熱コイル
１４…容器本体
１５…蓋体
１８…供給管（流路）
１９…排出管（流路）
２２…供給バルブ（第２バルブ）
２３…排出バルブ（第１バルブ）
２４…薬剤供給部
２５…薬剤供給分岐管（第１分岐流路）
２６…薬剤供給バルブ（薬剤用第１バルブ）
２７…薬剤回収部
２８…薬剤回収分岐管（第２分岐流路）
２９…薬剤回収バルブ（薬剤用第２バルブ）
【図１】
2006326487.tif 000003
【図２】
2006326487.tif 000004
【図３】
2006326487.tif 000005
【図４】
2006326487.tif 000006
【図５】
2006326487.tif 000007
【図６】
2006326487.tif 000008